(57)【要約】      （修正有）【課題】小型の遠心ファンにおいて、冷却特性を損なうことなく、電子部品の実装スペースを十分に確保できる回路基板を備える遠心ファンを提供する。【解決手段】遠心ファン１は、ベース３３と、排気口を有する側壁部３２と、側壁部３２に対して上方に配置される吸気口が形成されたカバー３１と、を備えるハウジング３を有する。ベース３２の上面に配置される回路基板４はハウジング３より径方向外方に突出する回路基板突出部４５１を有する。電子部品４８のうち少なくとも１つは、側壁部３２の内周面より径方向外方に配置される。【選択図】図１
2010275958.tif 000002
【特許請求の範囲】
【請求項１】
中心軸を中心とする有蓋略円筒状のハブと、
前記ハブの外側に周方向に配列されるインペラと、
前記ハブの内側に取り付けられるマグネットと、
前記マグネットと径方向に対向する電機子と、
前記中心軸を中心に前記電機子に対して前記ハブを回転可能に支持する軸受機構と、
前記軸受機構を保持する軸受ハウジングと、
前記軸受ハウジングの下端部を支持するベースと、
前記インペラを径方向外方から囲み、排気口を有する側壁と、
前記側壁の中心軸方向上側に位置するとともに、吸気口が設けられたカバーと、
前記ベースと、前記側壁と、前記カバーとを備えるハウジングと、
前記ベースの上面に配置される回路基板と、
前記回路基板上に形成され、電子部品で構成される制御回路部と、
を備え、
前記回路基板が前記ハウジングの前記側壁の外面よりも径方向外方に突出する突出部を有し、前記電子部品のうち少なくとも１つが前記突出部に配置されている遠心ファン。
【請求項２】
請求項１に記載の遠心ファンにおいて、
前記回路基板は、前記中心軸方向において前記ハブの下方に位置するハブ対応部と、前記ハブ対応部から径方向外方に延びる第１延設部と、前記第１延設部から延びて前記突出部を有する第２延設部と、を備え、
前記第１延設部と前記第２延設部とは、屈曲部を介してつながっている遠心ファン。
【請求項３】
請求項２に記載の遠心ファンにおいて、
前記第１延接部の幅と第２延設部の幅が異なっている遠心ファン。
【請求項４】
請求項１ないし３のいずれか１項に記載の遠心ファンにおいて、
前記ハウジング内に、前記側壁部の内周と前記インペラの外周との間に空気が流れる環状の流路を形成し、前記流路の下流側には前記排気口が配置され、
前記突出部は、上流側の前記側壁の外面と中流側の前記側壁の外面とが交差する部位近傍に形成されている遠心ファン。
【請求項５】
請求項１ないし４のいずれか１項に記載の遠心ファンにおいて、
前記ベースは、前記側壁よりも径方向外に突出したベース突出部を有し、前記ベース突出部の上面に、前記回路基板の前記突出部の少なくとも一部が配置されている遠心ファン。
【請求項６】
請求項１ないし６のいずれか１項に記載の遠心ファンにおいて、
前記突出部は、外部の電源と接続される配線が半田付けされている端子部を有する遠心ファン。
【請求項７】
請求項１ないし６のいずれか１項に記載の遠心ファンにおいて、
前記ベースは、ベース側吸気口を有し、前記回路基板の前記第１延設部のうち前記ベース側吸気口を塞ぐ部分は、前記第２延設部よりも幅が狭い遠心ファン。
【請求項８】
請求項２ないし７のいずれか１項に記載の遠心ファンにおいて、
前記屈曲部の一部が前記ハウジングの前記側壁の外面よりも径方向外方に位置する遠心ファン。
【請求項９】
請求項１ないし８のいずれか１項に記載の遠心ファンにおいて、
前記回路基板の前記屈曲部は、前記ハウジングの前記側壁の一部と軸方向に重なる遠心ファン。
【請求項１０】
請求項１ないし８のいずれか１項に記載の遠心ファンにおいて、
前記回路基板の前記屈曲部は、前記ベース側吸気口を規定する周縁の一部と前記中心軸方向に重なる遠心ファン。
【請求項１１】
請求項１ないし１０のいずれか１項に記載の遠心ファンにおいて、
前記回路基板の風洞対応部には、配線パターンのみが配置されている遠心ファン。
【請求項１２】
請求項１ないし１０のいずれか１項に記載の遠心ファンにおいて、
前記ベースの前記回路基板と前記中心軸方向において対向する箇所には、少なくとも１つの孔が形成されており、前記孔の中に前記回路基板の前記電子部品が配置されている遠心ファン。
【請求項１３】
請求項１ないし１２のいずれか１項に記載の遠心ファンにおいて、
前記ハウジングの前記側壁の外形の少なくとも一部は、円弧形状をなす遠心ファン。
【請求項１４】
請求項１ないし１３のいずれか１項に記載の遠心ファンにおいて、
前記ハブの直径が２０ｍｍ以下である遠心ファン。
【発明の詳細な説明】
【技術分野】
【０００１】
本発明は、送風に用いられる電動式の遠心ファンに関する。
【背景技術】
【０００２】
従来より、送風ファンには軸流ファンと遠心ファンとの２種類が存在するが、一般に軸流ファンは風量特性が高く、遠心ファンは静圧特性が高いという特徴がある。
【０００３】
ここで、ノートパソコンのように、電子部品が内部に密集している電子機器の冷却には、風量特性よりも静圧特性が要求される傾向が強い。特に、ノートパソコンの冷却に用いられる小型送風ファンとしては、一般に遠心ファンが選択される。
【０００４】
遠心ファンでは、ハウジングの内部において、モータを構成する有蓋円筒状のハブの外側面に複数の翼を有するインペラ部が設けられ、軸方向に吸気して径方向に排気が行われる。遠心ファンのハウジングは、通常、モータが固定されるベースと、エアの流路となる側壁と、側壁の上端を塞ぐカバーとを備える。
【０００５】
静圧特性を得るために、風量特性が犠牲にされがちな小型遠心ファンにおいては、いかにして風量を確保するかが重要なテーマとなる。
【０００６】
この点、風量を確保するためには、まずハブの径を小さくすることで吸気量を多くすることが考えられる。ハブの径を小さくすると、これに伴いハブの下方に配置されている回路基板も小さくする必要がある。しかしながら、実装される電子部品の微小化には技術的な限界があるため、ハブの下方に配置された回路基板のスペースだけでは、電子部品を実装する上で限界があり、この電子部品実装のためのスペースをいかに確保するかが問題となる。
【０００７】
そこで、例えば特開２００７−２１８２３４号公報では、軸方向に関してハウジングの両側に吸気口を設ける、いわゆる両面吸気型の遠心ファンにおいて、ベース側の吸気口の一部を塞ぎ、その上に設けられた回路基板に電子部品の一部を配置している例が開示されている。
【０００８】
また、特開２００１−２４１３９５号公報では、電子部品や回路基板を、有蓋円筒状のロータの下方およびカバー材の側壁の内壁より径方向外方で且つカバー材の側壁の外側面より内方の部分に配置した遠心ファンが開示されている。
【特許文献１】特開２００７−２１８２３４号公報
【特許文献２】特開２００１−２４１３９５号公報
【発明の概要】
【発明が解決しようとする課題】
【０００９】
しかしながら、特開２００７−２１８２３４号公報開示の技術のように、両面吸気型の遠心ファンにおいて、回路基板をハブ下方領域から径方向外方にはみ出す領域に広げて配置すると、回路基板が風洞にかかる場合、風の流路に対する障害となりうる。電子部品を、インペラ部と回転軸方向に対向する回路基板上面に配置した、片面吸気型の小型遠心ファンであれば、小型であるがゆえに電子部品の軸方向高さが、風の流れに対して抵抗として作用しうる。
【００１０】
また、特開２００１−２４１３９５号公報のように、小型化が進むと、風洞をできるだけ大きくして、通風のために用いられる空間が送風ファン全体に占める割合を大きくしようという設計が志向される。しかし、風洞内を避けて風洞よりも径方向外方のハウジング内に回路基板を配置しようとしても、必要な電子部品を実装するのに十分な回路基板スペースが確保できない、といったこともある。
【００１１】
本発明の目的は、小型の遠心ファンにおいて、冷却特性を損なうことなく、電子部品の実装スペースを十分に確保できる回路基板を備える遠心ファンを提供することにある。
【課題を解決するための手段】
【００１２】
本発明の一例の遠心ファンは、中心軸を中心とする有蓋略円筒状のハブと、前記ハブの外側に周方向に配列されるインペラと、前記ハブの内側に取り付けられるマグネットと、前記マグネットと径方向に対向する電機子と、前記中心軸を中心に前記電機子に対して前記ハブを回転可能に支持する軸受機構と、前記軸受機構を保持する軸受ハウジングと、前記軸受ハウジングの下端部を支持するベースと、前記インペラを径方向外方から囲み、排気口を有する側壁と、前記側壁の中心軸方向上側に位置するとともに、吸気口が設けられたカバー、前記ベースと、前記側壁と、前記カバーとを備えるハウジングと、前記ベースの上面に配置される回路基板と、前記回路基板上に形成され、電子部品で構成される制御回路部と、を備え、前記回路基板が前記ハウジングの前記側壁の外面よりも径方向外方に突出する突出部を有し、前記電子部品のうち少なくとも１つが前記突出部に配置されている。
【００１３】
このような構成の遠心ファンでは、回路基板における有蓋略円筒状のハブの外周面と回転軸方向に対向する領域内に、必要最小限の電子部品を実装し、その他の電子部品の少なくとも１つを、ハウジングの側壁の外面よりも径方向外方に設けられた回路基板の突出部に実装する。このような構成により、一部の電子部品を風洞より径方向外方に配置するため、ハブの径を小さく保ちながら、電子部品が風洞内の空気流路の妨げとなることを防ぎ、静圧特性および風量特性の高いファンを実現することができる。また、電子部品の配置位置をハウジングの側壁の外面よりも径方向外方に設けることにより、風洞をより広く確保することができ、電子部品の数、大きさに依存しない小型の遠心ファンの設計が可能となる。
【００１４】
なお、本明細書中では、説明の便宜上、中心軸Ｊ１に沿ってハウジングのカバー側を上側、ハウジングのベースを下側とする。しかし、実用に際して、中心軸Ｊ１は、必ずしも重力方向に一致する必要はない。
【発明の効果】
【００１５】
本発明の遠心ファンによれば、ハウジングの側壁の外面よりも径方向外方に電子部品を配置することから、遠心ファンの小型化を実現することができる。
【図面の簡単な説明】
【００１６】
【図１】遠心ファン１の外観を示す斜視図である。
【図２】本発明の第一の実施形態に係る小型の遠心ファン１の内部構成を示す縦断面図である。
【図３】回路基板４およびハウジング３のカバー３２を取り外した平面図である。
【図４】遠心ファン１のハウジング３のカバー３１のみを取り外して示す平面図である。
【図５】本発明の第２の実施形態に係る遠心ファン１ａを示す斜視図である。
【図６】本発明の第２の実施形態に係る遠心ファン１ａの回路基板４ａおよびハウジング３ａのカバー３２ａを取り外した平面図である。
【図７】本発明の他の実施形態に係る回路基板４ｂおよびハウジング３ｂのカバー３２ｂを取り外した平面図である。
【図８】本発明の他の実施形態に係る回路基板４ｃおよびハウジング３ｃのカバー３２ｃを取り外した平面図である。
【図９】本発明の他の実施形態に係る回路基板４ｄおよびハウジング３ｄのカバー３２ｄを取り外した平面図である。
【図１０】本発明の他の実施形態に係る回路基板４ｅおよびハウジング３ｅのカバー３２ｅを取り外した平面図である。
【図１１】本発明の他の実施形態に係る回路基板４ｆおよびハウジング３ｆのカバー３２ｆを取り外した平面図である。
【図１２】本発明の他の実施形態に係る回路基板４ｇおよびハウジング３ｇのカバー３２ｇを取り外した平面図である。
【図１３】本発明の他の実施形態に係る回路基板４ｈおよびハウジングｈｂのカバー３２ｈを取り外した平面図である。
【図１４】本発明の他の実施形態に係る回路基板４ｉおよびハウジング３ｉのカバー３２ｉを取り外した平面図である。
【図１５】本発明の他の実施形態に係る回路基板４ｊおよびハウジング３ｊのカバー３２ｊを取り外した平面図である。
【図１６】本発明の他の実施形態に係る回路基板４ｋおよびハウジング３ｋのカバー３２ｋを取り外した平面図である。
【図１７】本発明の他の実施形態に係る回路基板４ｍおよびハウジング３ｍのカバー３２ｍを取り外した平面図である。
【発明を実施するための形態】
【００１７】
＜＜第１の実施形態＞＞
図１は、遠心ファン１の外観を示す斜視図である。図２は、本発明の第一の実施形態に係る小型の遠心ファン１の内部構成を示す縦断面図である。図４は、遠心ファン１のハウジング３のカバー３１のみを取り外して示す平面図である。なお、図２および図４において、細部は簡略化している。
【００１８】
＜全体の構成＞
図１に示すように遠心ファン１は、インペラ２１３と、所定の中心軸Ｊ１を中心に回転するモータ部２と、モータ部２を収容するハウジング３と、を備える。このハウジング３は、略直方体をしており、一側面には開口３４が形成される。この開口３４は、後述するように、遠心ファン１の排気口となるため、以下、「排気口３４」という。ハウジング３の上面（カバー３１）にも、カバー開口３１１が設けられる。カバー開口３１１は、遠心ファン１の吸気口となる。
【００１９】
＜モータの構成＞
図２に示すように、モータ部２は、回転体であるロータ部２１と、固定体であるステータ部２２と、を有する。ロータ部２１は、軸受機構２３によりステータ部２２に対して回転可能に支持される。ロータ部２１は、ハブ２１１と、インペラ２１３と、を有する。ハブ２１１は、中心軸Ｊ１を中心とする略有蓋円筒状であり、ステータ部２２側に（図２中の下方）に向かって開口している。インペラ２１３は、インペラカップ２１５の外周面に配列された複数の翼２１４からなる。インペラカップ２１５は、中心軸Ｊ１を中心とする略円筒状をしている。本発明において、ハブ２１１の直径は２０ｍｍ以下とするのが好ましい。ハブ２１１は、インペラカップ２１５の内部に挿入されて固定される。複数の翼２１４は、ハブ２１１の外側にて中心軸Ｊ１を中心として環状に配列される。なお、本軸受機構２３は、すべり軸受を用いている。
【００２０】
図２に示すようにハブ２１１には、多極に着磁された円環状の界磁用磁石２１２が、ハブ２１１の開口部側から挿入されて、内側面に固定される。また、ハブ２１１の蓋部分の中央には、軸受機構２３のシャフト２３１の挿入される挿入孔が形成されており、この挿入孔にシャフト２３１の固定端側（すなわち、ロータ部２１側）が挿入されて、シャフト２３１がハブ２１１に固定される。
【００２１】
図２に示すように、シャフト２３１の自由端側は含油性の多孔質金属体からなる円筒状のスリーブ２３２に挿入されており、スリーブ２３２は有底円筒状の軸受ハウジング２２１に挿入されて固定される。シャフト２３１およびスリーブ２３２により、軸受機構２３が構成される。軸受ハウジング２２１はハウジング３のベース３３に取り付けられているので、軸受機構２３は、中心軸Ｊ１を中心にし、ハブ２１１をハウジング３に対して回転可能に支持している。
【００２２】
なお、軸受機構２３は、シャフト２３１およびスリーブ２３２の組合せ以外に、例えば、ボール軸受を利用するもの等であってもよい。また、軸受ハウジング２２１内の底面における、シャフト２３１の自由端側の端面に対向する位置には、スラストプレート２２２が設けられる。スラストプレート２２２は、低摩擦性の合成樹脂材にて形成され、中心軸Ｊ１方向に関してシャフト２３１を支持する。
【００２３】
軸受ハウジング２２１の周囲には電機子２２３が配置され、電機子２２３の巻線は端子２２３１に接続される。端子２２３１は、回路基板４上にて半田により接続される。これにより、微小な電機子２２３が、回路基板４に容易に電気的に接続される。なお、回路基板４は、可撓性を有するもの（例えば、ＦＰＣ（Flexible Printed Circuit））であってもよい。
【００２４】
遠心ファン１では、回路基板４から電機子２２３に供給される電流が制御されることにより、界磁用磁石２１２と界磁用磁石２１２の内側（中心軸Ｊ１側）に配置される電機子２２３との間で、中心軸Ｊ１を中心とするトルク（回転力）が発生する。すなわち、界磁用磁石２１２および電機子２２３が、駆動機構を構成する。そして、ハブ２１１に固定されたインペラ２１３が、ハブ２１１とともに所定の回転方向に回転する。
【００２５】
ハウジング３は、中心軸Ｊ１に垂直な方向に広がる（図２参照）板状のベース３３を有している。回路基板４は、ベース３３の上面であるカバー３１側の面に固定される。ベース３３および回路基板４には、中心軸Ｊ１を中心とする固定孔３３１，４１がそれぞれ形成される。軸受ハウジング２２１の下側の端部は、固定孔３３１，４１に挿入される。
【００２６】
＜ハウジングの構成＞
図３は、回路基板４およびハウジング３のカバー３２を取り外した平面図である。
【００２７】
図１に示すように、ハウジング３の外形は、回転軸方向Ｊ１の上側から見ると、略正方形となっている。ハウジング３は、上面を形成するカバー３１と、下面を形成するベース３３と、側壁部３２と、排気口３４と、から構成される。側壁部３２は、カバー３１とベース３３とをつなぎ、翼２１４の先端をつなぐ仮想円と径方向に対向している。さらに、ベース３３上において、流路の上流側の端部に近い箇所（図４の左上箇所）には、ベース突出部３３５が、ハウジング３の側壁３２の外面である外壁３２２よりも径方向外方へ延びて設けられる（図３）。
【００２８】
なお、カバー３１およびベース３３は、鋼板等の金属板で形成され、側壁部３２は樹脂にて形成されている。カバー３１およびベース３３を金属板で形成することにより、モータ部２の電機子２２３の巻線に発生する熱などを効果的に外部へ放出することができる。また、カバー３１およびベース３３は、金属板をプレス成形しているので、樹脂でカバー３１およびベース３３を形成することに比べ、遠心ファン１の軸方向の寸法を抑えることができ、薄型化が可能となる。
【００２９】
カバー３１は、吸気口となるカバー開口３１１を有している。側壁部３２は、流路を形成する内周壁３２１と、ハウジング３の外側面を形成する外壁３２２と、からなる。ベース３３は、固定孔３３１と、ハブ配置部３３２と、風洞形成部３３３と、側壁対応部３３４と、突出部３３５と、からなる（図３）。固定孔３３１は、軸受ハウジング２２１を固定する（図２）。環状領域のハブ配置部３３２は、中心軸Ｊ１方向にモータ部２と対向し、回転するハブ２１１の開口と対向する。風洞形成部３３３は、風洞３５の一部を形成する。側壁対応部３３４は、側壁部３２を合わせて風洞３５を閉塞する。突出部３３５は、側壁部３２の外壁３２２の一辺より径方向外方に延びる。側壁部３２には、当該遠心ファン１を各種機器に取り付けるためのネジ孔３６が、ハウジング３の四隅に二箇所形成されている（図４参照）。
【００３０】
＜流路について＞
次に図４に基づき、流路について説明する。ハウジング３の側面の一つには、排気口３４が形成されている。ハウジング３の内部には、風洞３５が形成される。風洞３５は、軸方向上側をカバー３１によって、下側をベース３３によって、径方向をインペラカップ２１５の外周と側壁部の内周壁３２１によって、囲われた空間である。また、この風洞３５は、中心軸Ｊ１を中心とする略渦巻き形状をしており、排気口３４に向かうエアの流路となる。さらに風洞３５の幅は、遠心ファン１の中心軸Ｊ１に垂直な断面において、排気口３４に向かって漸次増大する。なお、この風洞３５は、インペラカップ２１５の外周と側壁部の内周壁３２１との距離が、排気口３４に向かって一定でもよい。
【００３１】
図３に示すように、ハブ配置部３３２の周囲には、２つのベース開口部３３３１，３３３３がリブ３３３４を介して、各々中心軸Ｊ１を中心とする円弧状に形成される。ハブ配置部３３２の周囲に配置されるベース開口部３３３１，３３３３は、カバー３１に設けられるカバー開口３１１（図１参照）とともに、遠心ファン１の吸気口としての役割を果たす。そのため、以下の説明において、ベース３３のベース開口部３３３１，３３３３を、下側吸気口３３３１，３３３３と呼び、カバー３１のカバー開口部３１１を上側吸気口３１１と呼ぶ。
【００３２】
遠心ファン１では、ハブ２１１に取り付けられたインペラ２１３は、回転軸Ｊ１方向上側から見て時計回り（図４中にて矢印Ｙ１にて示す回転方向）に回転する。インペラ２１３が回転することにより、下側吸気口３３３１，３３３３と、上側吸気口３１１（図１参照）の双方から、遠心ファン１の近傍のエアがハウジング３内へと取り込まれる。取り込まれたエアは、インペラ２１３の回転方向におよそ沿うとともに、遠心力により中心軸Ｊ１から離れる方向に誘導され、風洞３５を経由して、排気口３４から排気される。このように、遠心ファン１では、エアが中心軸Ｊ１方向に吸気され、中心軸Ｊ１から離れる径方向に排気されて、送風が行われる。このとき、排気口３４では、流路における回転方向の上流側の端部から最も離れたエッジの位置近傍（すなわち、図４中の右下端近傍）にて、風量が最大となる。
【００３３】
＜制御回路について＞
図３に示すように、制御回路部は、回路基板４と、複数の電子部品４８と、端子部４９と、を備える。複数の電子部品４８は、回路基板４上に実装され、電機子２２３への通電を制御する。端子部４９は、複数の電子部品４８を配線パターンでつなぎ、外部電源等に接続する導線を半田付けする。また、複数の電子部品４８は、少なくともコンデンサ、ホール素子、抵抗、トランジスタ、ＩＣ等の体積の大きな素子を含んでいる。
【００３４】
＜回路基板について＞
図４に示すように、回路基板４は、固定孔４１と、環状領域のハブ対応部４２と、第１延設部４３と、第２延設部４５と、から構成される。固定孔４１は、軸受ハウジング２２１を固定する。ハブ対応部４２は、中心軸Ｊ１方向にモータ部２、すなわち、回転するハブ２１１の開口と対向するベース３３のハブ配置部３３２上に対応する。第１延設部４３は、ハブ対応部４２から径方向に延び、第２延設部４５と、屈曲部４４である延設部境界線４４３を介してつながる。ここで、延設部境界線４４３は、外方屈曲部４４１の略中央と内方屈曲部４４２の略中央を結んだ線である。第２延設部４５は、ハウジング３のベース突出部３３５上に設けられる回路基板突出部４５１を有する。第２延設部４５は、第２延設中間部４５２と、回路基板突出部４５１とで構成され、この第２延設中間部４５２は、第１延設部４３と回路基板突出部４５１との間に位置する。
【００３５】
次に、図３および図４に基づいて、電子部品４８の配置について説明する。ベース３３には、回路基板４と重なる位置に２つの電子部品収納孔部３３３５，３３３６が形成されている。電子部品収納孔部３３３５内には、回路基板４の吸気口対応部４６１に実装される電子部品４８１が収納される。さらに、回路基板４のハブ対応部４２上において、界磁用磁石２１２と回転軸Ｊ１方向に対向する位置には、モータ部２の回転速度を検出するためのホール素子４８２が設けられている（図２参照）。ホール素子４８２は、電子部品収納孔部３３３６内に収納される。このような構成により、遠心ファンの中心軸Ｊ１方向（高さ方向）の厚みを抑えることができ、薄型化を実現することができる。
【００３６】
加えて、電子部品４８は、回路基板突出部４５１にも少なくとも一つ配置されている。この電子部品４８は、例えば、コンデンサなどの電子部品４８３である。この電子部品４８３は、モータ部２の電機子２２３への通電を制御し、モータ直下のハブ対応部４２から延びる配線によって、その他の電子部品４８と電気的につながれている。さらに、回路基板突出部４５１には、外部電源などに接続する導線を半田付けする端子部４９も形成されている。この構成により、導線の半田付け作業が容易に行え、また、導線をハウジングで押さえつけることがない。このため、導線への負荷が低減され、断線などの問題を生じにくくなる。
【００３７】
この電子部品４８３は、ハブ対応部４２上に配置される必要のない部品であり、体積の大きな部品も含まれる。このような電子部品をハブ対応部から除くことにより、ハブ対応部４２の面積を狭くでき、風洞３５をより広く形成することができる。また、体積が大きく高さのある電子部品４８をハブ対応部４２に配置せずに、ハウジング外方の回路基板突出部４５１に置くことにより、モータ部２内の中心軸Ｊ１方向高さを低くすることができる。その結果、モータの薄型化を実現することができる。
【００３８】
さらに、図３に基づいて、ハウジング３と回路基板４との位置関係について詳述する。回路基板４は、ベース３３の固定孔３３１と回路基板４の固定孔４１とが重ね合わされて、軸受ハウジング２２１がそれぞれの固定孔に挿通できるように、配置される。回路基板４のハブ対応部４２は、固定孔３３１，４１から径方向外側に広がる、略環状のハブ配置部３３２上に設けられる。回路基板４の第１延設部４３は、ベース３３の風洞形成部３３３上および吸気口対応部４６１上を、側壁部３２に向かって径方向外方に延びる。
【００３９】
なお、回路基板４の第１延設部４３のうち、ベース３３の風洞形成部３３３に対応する部分を風洞対応部４６と呼び、さらにこの風洞対応部４６のうち、吸気口に対応する部分を吸気口対応部４６１と呼ぶ。回路基板４は、第１延設部４３と第２延設部４５との境界でくの字状に屈曲し、この部分を屈曲部４４と呼ぶ。ここで、屈曲部４４の幅方向上流側を第１屈曲部４４１、幅方向下流側を第２屈曲部４４２と呼び、第１屈曲部４４１の略中央と第２屈曲部４４２の略中央を結ぶ線を延設部境界線４４３と呼ぶ。第１屈曲部４４１は、ハウジング３の外壁３２２よりも径方向外方に位置する。なお、第１屈曲部４４１および第２屈曲部４４２は、それぞれ屈曲点であってもよいし、屈曲曲線であってもよい。本実施形態では、屈曲点で示している。
【００４０】
第２延設部４５は、第２延設中間部４５２と、回路基板突出部４５１からなる。第２延設中間部４５２は、側壁部３２の上流側の外壁３２２に沿った線上に延びる。回路基板４は、上流側の外壁３２２と中流側の外壁３２２とが交差する部位から、ベース突出部３３５に沿って、外壁３２２より径方向外方へ延びる。この第２延設部４５のうち、ハウジング３の外壁３２２から径方向外方に突出した部分を、回路基板突出部４５１と呼ぶ。ここで、第２延設中間部４５２と回路基板突出部４５１との境界線４５３は、ハウジング３の中流側の外壁３２２の一部と、一致する。この回路基板突出部４５１は、ベース突出部３３５上に配置されて固定されている。
【００４１】
また、回路基板４は、ベース３３に接着により固定されている。詳しくは、回路基板側壁対応部４７において、側壁部３２とベース３３とによって回路基板４を挟み込むように固定されている。ハウジング３の側壁部３２の第２延設中間部４５２と中心軸Ｊ１方向に対向する端部には、内周壁３２１から外壁３２２にかけて、側壁３２の長手方向一部が切り欠かれて、回路基板案内溝３２３（図５参照）が設けられる。この回路基板案内溝３２３と回転軸Ｊ１方向に対向するベース３３の側壁対応部３３４の一部とで、回路基板側壁対応部４７が挟まれる。これによって、回路基板４がハウジング３に固定される。
【００４２】
なお、回路基板案内溝３２３、回路基板側壁対応部４７および側壁対応部３３４の寸法は、ハウジングの側壁が好適に閉塞されるように設定されているので、風洞３５から回路基板４上を伝って、回路基板突出部４５１およびベース突出部３３５側にエアが漏れることがない。
【００４３】
本実施形態の遠心ファン１においては、回路基板４における有蓋略円筒状のハブ２１１の外周面と回転軸方向に対向する領域内に実装が困難な電子部品４８３を、回路基板４の回路基板突出部４５１に配置することができる。
【００４４】
このような構成により、一部の電子部品（例えば電子部品４８３）を風洞３５より径方向外方に配置している。そのため、ハブ２１１の径を小さく保ちつつ、電子部品４８が風洞３５内の空気流路の妨げとなることを防げるので、静圧特性および風量特性の高いファンを実現することができる。
【００４５】
また、回路基板４は、屈曲部４４にて屈曲する形状となっている。このため、風洞３５内の風の流れ、風量および風速の低減をすることなく、回路基板４を形成することができる。
【００４６】
また、本実施形態は、ベース突出部３３５および回路基板突出部４５１がハウジング３の側壁部３２のうち、上流側の面と中流側の面とが交差する部位近傍に形成される。エアの流量と流速はともに、この部位で極小であることが知られている。回路基板４は、この部位から突出するように配置されるため、遠心ファン１の流路の妨げになる度合いを低減でき、流路を効率よく形成することができる。
【００４７】
また、ハウジング外壁３２２より突出した回路基板４を、ベース３３が支持することにより、回路基板４のたわみを防止でき、強度を高めることができる。
【００４８】
＜＜第２の実施形態＞＞
図５は、本発明の第２の実施形態に係る遠心ファン１ａを示す斜視図である。図６は、本発明の第２の実施形態に係る遠心ファン１ａの回路基板４ａおよびハウジング３ａのカバー３２ａを取り外した平面図である。遠心ファン１ａの構造は、第１の実施形態とほぼ同様であり、ハウジング３の側壁部３２ａの形状および電子部品４８の配置が異なっている。他の構成要素については、第１の実施形態と同様の符号を付している。
【００４９】
遠心ファン１ａでは、ハウジング３ａの側壁部３２ａが、第１の実施形態と異なる形状となっている。詳しくは、ハウジング３ａのベース突出部３３５周辺の側壁部３２ａは、Ｒ形状（円弧）の曲線を形作っている。そのＲ面に対応して、ベース３３には、ハウジング側壁外部３３４１が、側壁部３２ａの外壁３２２ａより径方向外側に形成されている。そして、ハウジング側壁外部３３４１の上には、回路基板４ａのハウジング側壁外部対応部４５４ａが形成されている。このハウジング側壁外部対応部４５４ａは、第１の実施形態における第２延設中間部４５２とほぼ対応する。
【００５０】
このため第１の実施形態と比較して、ハウジング３の側壁３２よりも径方向外方において、電子部品４８を配置できる回路基板４ａの領域を広くとることができ、電子部品実装の自由度が増す。特に、電子部品４８を吸気口対応部４６１に実装せずに、第１の実施形態における、第２延設中間部４５２と回路基板突出部４５１とに跨るように配置したい場合等に有効である（図５の電子部品４８４参照）。
【００５１】
＜＜他の実施形態＞＞
図７ないし図１６は、遠心ファンにおける本発明の他の実施形態に係る、回路基板４およびハウジング３のカバー３２を取り外した平面図である。以下に、それぞれの特長を述べる。
【００５２】
図７に示した回路基板４ｂでは、回路基板突出部４５１ｂが、ベース突出部３３５よりも径方向内方に位置している。
【００５３】
図８に示した回路基板４ｃでは、屈曲部４４ｃの内の一点４４１ｃが、下側吸気口３３３１，３３３３の外周辺の吸気口仮想線３３３７上に位置している。このような構成では、回路基板の屈曲する屈曲部が、吸気口を形成する仮想線と重なる。このため、風損が生じることなく、効率よく回路基板を形成することができる。このような形状は、ネジ孔３６がハウジング３ｃの四隅に３箇所設けられる構造に適している。
【００５４】
図９に示した回路基板４ｄでは、屈曲部４４ｄの二点４４１ｄ、４４２ｄともに風洞３５の外周上であり、側壁部３２の内周壁３２１の下端と接している。そして、回路基板４ｄにおいて、第１延設部４３ｄと第２延設部４５ｄは、互いに回路基板幅が異なっており、第１延設部４３ｄに比べて第２延設部４５ｄの方が、幅が狭くなっている。そのため、下側吸気口３３３１、３３３３を大きく形成することができ、吸気量を確保できる。それとともに、風洞３５内に回路基板４ｄの屈曲部４４ｄが形成されないので、回路基板４ｄが空気流路の妨げになることが少ない。また、回路基板の屈曲する屈曲部がハウジングの側壁と重なるため、風損が生じることなく、効率よく回路基板を形成することができる。
【００５５】
図１０に示した回路基板４ｅでは、屈曲部４４ｅが滑らかな屈曲曲線を描いている。
【００５６】
図１１に示した回路基板４ｆでは、リブ３３３４ｆが排気口３４近傍（図示左側）の風速がもっとも遅い箇所に形成されている。そのため、リブ３３３４ｆが下側吸気口３３３１ｆ，３３３３ｆの吸気量の妨げになることがなく、最大限に吸気量を確保することができる。
【００５７】
図１２に示したベース３３ｇは、略正方形であり、ベース突出部を有していない。そのため、回路基板４ｇは、回路基板突出部４５１ｇがベース３３ｇの側壁対応部３３４ｇに支持されている。また、回路基板突出部４５１ｇの裏面には、電子部品４８３ｇが配置されている。このような構成によると、ベース３３ｇの形状が簡略化でき、製造コストの削減となる。さらに、電子部品４８ｇを回路基板突出部４５１ｇの両面に実装できるので、電子部品４８ｇを配置できる回路基板４ｇの領域を広くとることができ、電子部品実装の自由度が増す。
【００５８】
図１３に示した回路基板４ｈでは、回路基板突出部４５１ｈが、排気口付近のエアの流路に対して平面視で垂直の方向（図１３の左側側壁部の上端）に形成されている。この構成により、排気口と軸対象の側壁部３２との間の空間に制限があっても、排気口の流路に対して平面視で垂直の方向にベース突出部３３５ｈおよび回路基板突出部４５１ｈを設けることで、風洞３５を最大限大きくとることができ、静圧特性および風量特性の高い遠心ファンを設計することができる。このような形状は、ネジ孔３６がハウジング３ｈの四隅のうち２箇所設けられる構造に適している。
【００５９】
図１４に示した回路基板４ｉでは、回路基板突出部４５１ｉが、ベース突出部３３５ｉよりも径方向外方へ突出している。回路基板突出部４５１ｉは、ベース突出部３３５ｉに支持される回路基板突出元部４５１１ｉと、支持されない回路基板突出端部４５１２ｉとからなる。そして、回路基板突出端部４５１２ｉの裏面に、銅線端子部４９が形成されている。そのため、遠心ファンの下側に向けて配線を引き出すことができ、外部の電源とつなぐことができる。
【００６０】
図１５に示した回路基板４ｊでは、図９と同様に、第１延設部４３ｊと第２延設部４５ｊにおける回路基板幅が異なっている。第１延設部４３ｊに比べて第２延設部４５ｊの方が、幅が広くなっている。そして、風洞対応部４６には、電子部品が配置されず、配線パターンのみが配置されている。そのため、第２延設部４５ｊ上に電子部品４８を多く配置することができ、下側吸気口３３３１，３３３３と、風洞３５を横断する第１延設部４３ｊとを、できる限り細く構成することができる。第１延設部４３ｊを細く、狭く形成することで、風洞３５内の風の流れ、風量および風速の特性に、悪影響を及ぼしにくい回路基板を形成することができる。
【００６１】
図１６に示した回路基板４ｋでは、屈曲部を有さない構造となっている。すなわち、第１延設部４３ｋと第２延設部４５ｋとが、直線的につながっている。回路基板突出部４５１ｋは、ハウジング３ｋの排気口３４と逆の辺において突出している。このような形状は、ネジ孔３６がハウジング３ｋの四隅のうち３箇所に設けられる構造に適している。
【００６２】
図１７に示した回路基板４ｍでは、ハウジングの側壁３２ｍが略円形形状をなす構造となっている。このハウジング３ｍの上流側の外壁３２２ｍの周面と中流側の外壁３２２ｍの周面とが交差する部位から回路基板突出部４５１ｍが突出している。
【００６３】
以上、本発明の実施形態について説明したが、本発明は上記実施形態に限定されるものではなく、様々な変形が可能である。
【００６４】
例えば、ベース突出部３３５と回路基板突出部４５１の幅を異ならせることも可能である。すなわち、ベース突出部３３５の幅を、回路基板突出部４５１の幅よりも広く設計することもできる。また、その逆であってもよい。
【００６５】
また、カバーおよびベースに形成される吸気口についても、必ずしもカバーとベースのどちらにも形成される両面吸気型である必要はなく、カバーもしくはベースのいずれか一方のみに形成される片面吸気型であってもよい。
【００６６】
また、ハウジング３は、略正方形に限定されるものではなく、長方形であってもよい。
【００６７】
また、回路基板の第１延設部４３と、第２延設部４５も各部ストレート形状であるが、この形状に限定されるものではなく、曲線形状であってもよく、途中で幅が縮小や拡大など変化していてもよい。
【００６８】
また、ベース突出部３３５は、ベース部３３に一体的に形成されている形態を示したが、別体で形成してもよい。
【符号の説明】
【００６９】
１    遠心ファン
２    モータ部
２１１    ハブ
３    ハウジング
３１    カバー
３２    側壁部
３２１    内周壁
３２２    外壁
３３    ベース
３３１  固定孔
３３２    ハブ配置部
３３３    風洞形成部
３３４    側壁対応部
３３５    ベース突出部
３４    排気口
３５    風洞
４    回路基板
４１    固定孔
４２    ハブ対応部
４３    第１延設部
４４    屈曲部
４５    第２延設部
４５１    回路基板突出部
４５２    第２延設中間部
４６    風洞対応部
４７    回路基板側壁対応部
４８    電子部品
４９    端子部
【図１】
2010275958.tif 000003
【図２】
2010275958.tif 000004
【図３】
2010275958.tif 000005
【図４】
2010275958.tif 000006
【図５】
2010275958.tif 000007
【図６】
2010275958.tif 000008
【図７】
2010275958.tif 000009
【図８】
2010275958.tif 000010
【図９】
2010275958.tif 000011
【図１０】
2010275958.tif 000012
【図１１】
2010275958.tif 000013
【図１２】
2010275958.tif 000014
【図１３】
2010275958.tif 000015
【図１４】
2010275958.tif 000016
【図１５】
2010275958.tif 000017
【図１６】
2010275958.tif 000018
【図１７】
2010275958.tif 000019